(57)【要約】      （修正有）【課題】  紙コップの外周面一側にスプーンが分離可能に付着された一回用カップを提供する。【解決手段】  紙コップ１００の外周面上側に巻いて構成された縁部１１０内側にスプーン２００の先端２０１が挟まれ、スプーン２００後端２０２には熱接着部２１０が具備されて紙コップ１００下側の外周面と熱接着されて構成される。また、スプーン２００は紙コップ１００の表面に後端２０２が接着されて、その先端２０１が縦重畳部１２０にその先端２０１が挟まれて固定されることを特徴とする。【選択図】  図３
2006232296.tif 000002
【特許請求の範囲】
【請求項１】
扇形状を有する本体１０１を円筒で巻いてその縦重畳部１２０を接合してその下端には底板を具備して密閉するようにしてその上端には飲料水を飲むことができるように外側に巻いてカーリング加工された縁部１１０を有する紙コップ１００と、前記紙コップ１００外周面に分離可能に付着するスプーン２００を含んで構成されたスプーン付着型紙コップにおいて、
前記紙コップ１００の外周面上側に巻いて構成された縁部１１０内側にスプーン２００の先端２０１が挟まれ、前記スプーン２００後端２０２には熱接着部２１０が具備されて紙コップ１００下側の外周面と熱接着されて構成されることを特徴とするスプーンが付着された一回用紙コップ。
【請求項２】
前記スプーン２００はその後端２０２に形成された熱接着部２１０を除外したのこり一面にかけて合成樹脂２２０によりコーティング処理することを特徴とする請求項１に記載のスプーンが付着された一回用紙コップ。
【請求項３】
扇形状を有する本体１０１を円筒で巻いてその縦重畳部１２０を接合してその下端には底板を具備して密閉するようにしてその上端には飲料水を飲むことができるように外側に巻いてカーリング加工された縁部１１０を有する紙コップ１００と、前記紙コップ１００外周面に分離可能に付着するスプーン２００を含んで構成されたスプーン付着型紙コップにおいて、
前記したスプーン２００は前記紙コップ１００の表面に後端２０２が接着されて、その先端２０１が前記縦重畳部１２０にその先端２０１が挟まれて固定されることを特徴とするスプーンが付着された一回用紙コップ。
【請求項４】
前記したスプーン２００の先端２０１は前記縦重畳部１２０の間に挟まれるようにするが、前記縦重畳部１２０の重畳幅Ｗに対して１／２を越えないようにしてなることを特徴とする請求項３に記載のスプーンが付着された一回用紙コップ。
【発明の詳細な説明】
【技術分野】
【０００１】
本発明は自動販売機、休憩所、野外等地で主に飲料などを入れて飲むのに用いる一回用紙コップに係りこれは特に、紙コップの外周面一側にスプーンが分離可能に付着した一回用紙コップに関する。
【背景技術】
【０００２】
一般的にコーヒー等のような茶種類や、飲料水などを入れて飲むのに使われる紙コップは、その携帯及び事後処理が簡便で主に自動販売機や、休憩所、野外等地で一回用として用いられる。
【０００３】
しかし、前記のような一回用紙コップを用いる場合に、カップ内部に充填された内容物をまともに混合するためにはスプーンなどを利用してその内容物を十分にかき混ぜてくれなければならないが、自動販売機では別途のスプーンがなくてカップ内部の内容物混合が難しい実情であり、一般事務室や野外等地で一回用袋入りコーヒー（コーヒーミキサー）等を飲む時別途のスプーンが用意されない場合には大部分の人々がコーヒーミキサーの紙袋をたたんでスプーン代用に用いるようになることはもちろん、例え、スプーンが用意されたとしても一つのスプーンを複数の人々が共用するようになってその衛生上清潔でないという欠点があった。
【０００４】
したがって、最近には紙コップ使用による内容物の容易い混合と、スプーン使用による衛生上の清潔さを維持させることができるようにするために紙コップの外周面一側にスプーンが分離可能に付着形成されたスプーン付着型一回用紙コップが知られたことがある。
【０００５】
すなわち、特許文献１によれば、図１に示したように、従来の紙スプーンが付着された紙コップは、紙コップ１の外周面を包むように付着する補助紙２と、前記補助紙２の内面で切断線により区画されて長さ方向にＹ型の折畳線５が形成された紙スプーン４を含んで構成される。
【０００６】
また、特許文献２によれば、図２に示したように、紙コップ１０製作時両端部が熱接着される時外側の方に位置する外側端部１１に任意の形状を有するスプーン２０が一体に形成されるが、前記スプーン２０は紙コップ１０の外側端部１１と連結端２１により分離可能に構成されたことを特徴とするスプーンが一体に形成された一回用紙コップが開示される。
【０００７】
前記したような従来のスプーン付着型一回用紙コップによれば、スプーンが熱接着または連結端により紙コップ外周面に密着して固定されることによって、多量の紙コップを積層させて運搬及び保管が容易いという利点はあるが、図１に示した一回用紙コップの場合にはその製作段階で別途の補助紙２にスプーン形状の切断線を区画してこれを紙コップ１外周面に熱接着させるようになることによって、補助紙２に別途に切断線を区画する工程とこれを再びカップ外周面に付着させる工程などが追加されてその製作工程が複雑になることはもちろん、これにより製作単価が上昇する欠点があったし、補助紙２に切断線により区画されたスプーン４の分離が容易くないという問題があった。
【０００８】
同様に、図２に示したような従来の一回用紙コップの場合にもやはり製作段階から紙コップ１０の外側端部１１にスプーン２０を一体に付着させなければならなかったので、前述したように製作工程が複雑なことはもちろん、製作単価が上昇する問題があった。
【０００９】
一方、前記のような従来の一回用紙コップの外周面に付着されるスプーンの場合、スプーンが紙コップと同一材質である紙材質で構成されたためカップ内に充填された内容物などを混合するためにこれを用いる場合にスプーンが内容物の水分を吸収するようになることによってスプーンの支持剛性が低下してスプーンが柔軟になってしまうことはもちろん、これによりスプーンが自らの機能を発揮できないなどの多くの問題点があった。
【特許文献１】大韓民国実用新案公開第１９９８−０５６５５３号明細書
【特許文献２】大韓民国実用新案公開第１９９８−０５９２７８号明細書
【発明の開示】
【発明が解決しようとする課題】
【００１０】
本発明は前記従来のいろいろ問題点を改善させるために案出したものであってその目的は、紙コップの外周面一側にスプーンが分離可能に付着された一回用カップにおいて、前記スプーンの先端は前記紙コップ上端に外側に巻いて形成された縁部内側に挟んで固定して、後端は紙コップ下端部に熱接着してスプーンが紙コップ外側に分離可能に付着することによって、スプーンの一端部のみを一回用紙コップに接着してスプーンを分離可能に付着させることができて紙コップにスプーン付着のための製作工程を単純化させて製作原価を節減させることができることはもちろん、紙コップからスプーンの分離が容易いスプーンが付着された一回用紙コップを提供することにある。
【００１１】
また、本発明のまた他の目的は、前記のように紙コップ外周面に付着されるスプーン一面にかけてビニル類のような合成樹脂を利用してコーティング処理することによって、スプーン使用時カップ内部に充填された内容物の水分を吸収してスプーンが剛性を失って柔軟になってしまうことを防止するようにすることにある。
【課題を解決するための手段】
【００１２】
前記のような目的を達成するための技術的な手段として本発明は、扇形状を有する本体を円筒に巻いてその縦重畳部を接合してその下端には底板を具備して密閉するようにしてその上端には飲料水を飲むことができるように外側に巻いてカーリング加工された縁部を有する紙コップと、前記紙コップ外周面に分離可能に付着するスプーンを含んで構成されたスプーン付着型紙コップにおいて；
前記紙コップの外周面上側に巻いて構成された縁部内側にスプーンの先端が挟まれ、前記スプーン後端には熱接着部が具備されて紙コップ下側の外周面と熱接着されて構成されることを特徴とするスプーンが付着された一回用紙コップを用意することによる。
【００１３】
また、前記スプーンはその後端の熱接着部を除外したのこり部分の外周全面にかけて合成樹脂を介してコーティング処理することを特徴とする。
【００１４】
一方、本発明のまた他の実施形態の手段としては扇形状を有する本体を円筒で巻いてその縦重畳部を接合してその下端には底板を具備して密閉するようにしてその上端には飲料水を飲むことができるように外側に巻いてカーリング加工された縁部を有する紙コップと、前記紙コップ外周面に分離可能に付着するスプーンを含んで構成されたスプーン付着型紙コップにおいて、前記スプーンは前記紙コップの表面に後端が接着されて、その先端が前記縦重畳部にその先端が挟まれて固定されるようにすることを特徴とする。
【００１５】
この時、前記スプーンの先端は前記縦重畳部の間に挟まれるようにするが、前記縦重畳部の重畳幅に対して１／２を越えないようにするものである。
【発明の効果】
【００１６】
以上でよく見たように本発明であるスプーンが付着された一回用紙コップによれば、スプーンの先端を紙コップ縁部内に挟んだ後、スプーンの後端のみを紙コップに熱接着してスプーンを分離可能に付着させることができることによって、紙コップにスプーン付着のための製作工程を単純化させて製作原価を節減させることができることはもちろん、紙コップからスプーンの分離が容易いという利点がある。
【００１７】
そしてまた他の実施形態の構成によれば先端を縦重畳部で分離する瞬間自体弾性によりその先端が即時離隔されるが、この先端部分をつかんで後端を取りはずすのが容易い長所がある。
【００１８】
また、スプーン一面がビニル類のような合成樹脂材を通じてコーティング処理することによって、スプーン使用時スプーンがカップ内部に充填された内容物の水分を吸収して剛性を失って柔軟になってしまうことを防止することができる効果がある。
【発明を実施するための最良の形態】
【００１９】
以下、添付図面に基づいて本発明による望ましい実施形態を詳細に説明すると次のようである。
【００２０】
図３は本発明の望ましい実施形態によるスプーンが付着された一回用紙コップを示した斜視図であり、図４は図３によるＡ−Ａ線断面を示した断面図である。
【００２１】
これに図示したように、本発明であるスプーンが付着された一回用紙コップは、扇形状を有する本体１０１を円筒で巻いてその縦重畳部１２０を接合してその下端には底板（図示せず）を具備して密閉するようにしてその上端には飲料水を飲むことができるように外側に巻いてカーリング（Ｃｕｒｌｉｎｇ）加工された縁部１１０を有する紙コップ１００が具備される。
【００２２】
また、前記のような紙コップ１００上端に形成された縁部１１０内側には紙コップ１００に充填された内容物混合のために具備されるスプーン２００の先端２０１が挟まれ、前記スプーン２００後端２０２には熱接着部２１０が形成されて高周波または超音波加工を介して紙コップ１００下側の外周面に熱接着されて紙コップから分離可能に付着する。
【００２３】
ここで、前記スプーン２００は図７に示したように、その下端中央部から上端に至るまで“Ｙ”字形状の折畳線２２０が具備され、一側外周面には前記熱接着部２１０を除外したのこり部分にかけてビニル類のような合成樹脂２３０を介してコーティング処理している。
【００２４】
したがって、前記のような構成で形成された本発明の作用及び効果に対してよく見れば次のようである。
【００２５】
図３ないし図４を連係して説明すると、本発明であるスプーンが付着された一回用紙コップは、ユーザーが飲料を容易に飲むことができるようにするために紙コップ１００上端に具備された縁部１１０内側にスプーン２００の先端２０１が挟まれて、前記スプーン２００の後端２０２は紙コップ１００下側外周面に熱接着されて分離可能に付着することによって、紙コップ２００にスプーン２００を付着する過程でスプーン２００の先端２０１部は紙コップ１００の縁部１１０に簡単に挟んで入れる過程により係止固定されて、その後端２０２のみを熱接着させて固定することができてスプーン付着による製作工程縮小はもちろん、それによる製作単価を節減させることができるようになる。
【００２６】
これに加えて、前記のようにスプーン２００の先端２０１を縁部１１０内側に挟んで入れて後端２０２のみを熱接着を介して紙コップ１００外周面に熱接着させたことだけでもスプーンが紙コップ外周面に強固に固定できるようになることであり、これによりスプーンが付着された状態でも紙コップの積層保管及び運搬・取扱が容易になることである。
【００２７】
図５及び図６は本発明のまた他の実施形態を見せたのである。
【００２８】
ここでの特徴的な構成は紙コップ１００を前の場合と同様に扇形状を有する本体１０１を円筒で巻いてその縦重畳部１２０を接合して、その下端には底板を具備して密閉するようにしてその上端には飲料水を飲むことができるように外側に巻いてカーリング加工された縁部１１０を有する紙コップ１００と、前記紙コップ１００外周面に分離可能に付着するスプーン２００を含んで構成するが、このスプーン２００は前記紙コップ１００の表面に後端２０２が接着されて、その先端２０１が前記縦重畳部１２０に挟まれて固定されることを特徴とする。
【００２９】
そしてこの時の先端２０１は前記縦重畳部１２０の間に挟まれる程度は重畳幅Ｗに対して１／２を越えないようにすることが良くて、さらに望ましくは約１／２〜１／４以内で容易に抜けないで、かかっている程度であれば充分である。
【００３０】
本実施形態のように構成された紙コップ製造方法は前の場合と大同小異であって、単にスプーン２００をあらかじめ扇形本体１０１の表面に付着した後、この本体を円筒形で巻いて一体で製造することである。
【００３１】
すなわち、図３で見るようにスプーン２００の先端２０１が縦重畳部１２０に到達されるように勘案された位置でそのスプーン２００の後端２０２を一般接着剤で仮接着しておいて、この本体１０１をジグ（図示せず）で円筒形に巻く時、スプーンがついている方向終端が内側に行くように縦重畳部１２０を加熱接着するものである。
【００３２】
そしてその次の工程で本体１０１の下端に沿って円形底板を熱接着して、上端にカーリング縁部１１０を形成すれば製造が終わることである。
【００３３】
これは本体１０１の中段に付着されたスプーン２００の先端２０１を縦重畳部から取りはずせば、スプーン２００が有する自体弾性により円筒表面からその先端２０１が浮び上がるようになる。
【００３４】
したがってその部分をつかんで後端２０２の接着された部分を取れば非常に容易にスプーン２００を分離することができるようになる長所がある。
【００３５】
一方、紙コップ使用によって前記のように付着固定されたスプーンを紙コップから分離する場合には、ユーザーの手でスプーン２００の中央部を把持した状態で紙コップ１００の外側にこれをつかんで引くようになれば、前記スプーン２００の中央部が所定角屈曲されながら縁部１１０に挟まれたスプーン２００の先端２０１部が縁部１１０から容易に抜け出るようになって、スプーン２００の後端２０２部も前記のような引力により紙コップ１００と熱接着された部位が離れるようになって、紙コップからスプーンを簡単に分離させることができることである。
【００３６】
続いて、前記のように紙コップ１００から分離されたスプーン２００は、図３または図７に示したようにその下端中央部から上端に至るまで"Ｙ"字形状の折畳線２２０が具備されて、スプーン２００使用時前記折畳線２２０に沿ってスプーンをたたんで用いるようになれば小型のスプーン形状をもつようになって、スプーンの剛性が向上して紙コップ内部に充填された内容物を混合させる場合にスプーンが曲がって紙コップ内の内容物混合が不良になる等の欠点を未然に防止するようになる。
【００３７】
これに加えて、前記のようなスプーン２００の一側外周面には上述したスプーン２００後端２０２に形成された熱接着部２１０を除外したのこり部分全面にかけてビニル類のような合成樹脂材２３０を介してコーティング処理されて、スプーン使用時スプーンがカップ内部に充填された内容物の水分を吸収して剛性を失って柔軟になってしまうことを防止するようになる。
【００３８】
ここで、前記スプーン２００の熱接着部２１０にだけコーティング処理をしない理由は、スプーン２００を紙コップ１００に接着させるために高周波または超音波を利用して接着させる場合にコーティング処理した合成樹脂がべたっとくっついてスプーンの不良接着を防止するためである。
【産業上の利用可能性】
【００３９】
本発明は、自動販売機、休憩所、野外等地で主に飲料などを入れて飲むのに用いる一回用紙コップに適用できる。
【図面の簡単な説明】
【００４０】
【図１】従来のスプーン付着型紙コップの一実施形態を図示した分離斜視図。
【図２】従来のスプーン付着型紙コップの他実施形態を示した斜視図。
【図３】本発明によるスプーンが付着された一回用紙コップを示した斜視図。
【図４】図３によるＡ−Ａ線断面を示した切開断面図。
【図５】本発明のまた他の実施形態の斜視図。
【図６】図５による展開図。
【図７】本発明のスプーン斜視図。
【符号の説明】
【００４１】
１００：紙コップ
１０１：本体
１１０：縁部
２００：スプーン
２０１：先端
２０２：後端
２１０：熱接着部
２２０：折畳線
２３０：合成樹脂
【図１】
2006232296.tif 000003
【図２】
2006232296.tif 000004
【図３】
2006232296.tif 000005
【図４】
2006232296.tif 000006
【図５】
2006232296.tif 000007
【図６】
2006232296.tif 000008
【図７】
2006232296.tif 000009